(57)【要約】    【課題】  全ズーム領域及び物体距離全般にわたって高い光学性能を有するズームレンズを得ること。    【解決手段】  最も像側に正の屈折力の最終レンズ群、該最終レンズ群の物体側に隣接して配置された負の屈折力のフォーカスレンズ群を含み、全体として少なくとも５つのレンズ群を有し、ズーミングに際して３以上のレンズ群が移動するズームレンズであって、  該最終レンズ群は正レンズＧＲＰと負レンズＧＲＮとを接合した接合レンズより構成され、該正レンズＧＲＰと負レンズＧＲＮの材料のアッベ数νＲＰ、νＲＮを各々適切に設定すること。【選択図】    図１
2011081062.tif 000002
【特許請求の範囲】
【請求項１】
最も像側に正の屈折力の最終レンズ群、該最終レンズ群の物体側に隣接して配置された負の屈折力のフォーカスレンズ群を含み、全体として少なくとも５つのレンズ群を有し、ズーミングに際して３以上のレンズ群が移動するズームレンズであって、
該最終レンズ群は正レンズＧＲＰと負レンズＧＲＮとを接合した接合レンズより構成され、該正レンズＧＲＰと負レンズＧＲＮの材料のアッベ数を各々νＲＰ、νＲＮとするとき、
１５＜｜νＲＰ−νＲＮ｜＜６０
なる条件式を満足することを特徴とするズームレンズ。
【請求項２】
前記最終レンズ群と前記フォーカスレンズ群の焦点距離を各々ｆＲ、ｆfocusとするとき、
０．２＜｜ｆfocus／ｆＲ｜＜２．０
なる条件を満足することを特徴とする請求項１に記載のズームレンズ。
【請求項３】
前記フォーカスレンズ群は、正レンズＧＦＰと負レンズＧＦＮとを接合した接合レンズを有し、該正レンズＧＦＰと負レンズＧＦＮの材料のアッベ数を各々νＦＰ、νＦＮとするとき、
１０＜｜νＦＰ−νＦＮ｜
なる条件を満足することを特徴とする請求項１又は２に記載のズームレンズ。
【請求項４】
前記正レンズＧＲＰの材料の部分分散比をθＲＰとするとき、
−０．０１＜（θＲＰ）−（−０．０１６＊νＲＰ＋０．６４２）＜０．０５
なる条件を満足することを特徴とする請求項１乃至３のいずれか１項のズームレンズ。
【請求項５】
前記フォーカスレンズ群の物体側に、物体側より像側へ順に、正の屈折力のレンズ群、負の屈折力のレンズ群、正の屈折力のレンズ群を有することを特徴とする請求項１乃至４のいずれか１項のズームレンズ。
【請求項６】
前記ズームレンズは、物体側より像側へ順に負の屈折力の第１レンズ群、正の屈折力の第２レンズ群、負の屈折力の第３レンズ群、正の屈折力の第４レンズ群、負の屈折力の第５レンズ群、正の屈折力の第６レンズ群より構成され、ズーミングのためには第６レンズ群は不動であり、ズーミングに際して該第１〜第５レンズ群が移動することを特徴とする請求項１乃至４のいずれか１項のズームレンズ。
【請求項７】
前記ズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群より構成され、ズーミングのためには該第２、第５、第７レンズ群は不動であり、ズーミングに際して該第１、第３、第４、第６レンズ群が移動することを特徴とする請求項１乃至４のいずれか１項のズームレンズ。
【請求項８】
前記ズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、ズーミングに際し、各レンズ群間の空気間隔が変化するように、各レンズ群が移動することを特徴とする請求項１乃至４のいずれか１項のズームレンズ。
【請求項９】
請求項１から８のいずれか１項のズームレンズと、該ズームレンズによって形成された像を受光する固体撮像素子を有していることを特徴とする撮像装置。
【発明の詳細な説明】
【技術分野】
【０００１】
本発明は固体撮像素子を用いたデジタルカメラやビデオカメラ等の撮影装置に好適なズームレンズに関するものである。
【背景技術】
【０００２】
固体撮像素子を用いたデジタルカメラ、ビデオカメラ用のズームレンズには高ズーム比で高い光学性能を有することが要求されている。高ズーム比で高い光学性能が得られるズームレンズとして、３以上のレンズ群を独立に移動させてズーミングを行う多群ズームレンズが知られている(特許文献１〜３)。特許文献１は、物体側より像側へ順に、負、正、負、正、正の屈折力の第１〜第５レンズ群より成る５群ズームレンズにおいて、物体側の４つのレンズ群を移動させてズーミングを行い、第２レンズ群でフォーカシングを行うズームレンズを開示している。特許文献２は物体側より像側へ順に、負、正、負、正、負、正の屈折力の第１〜第６レンズ群より成る６群ズームレンズにおいて物体側の５つのレンズ群を移動させてズーミングを行うズームレンズを開示している。更に小型軽量な第５レンズ群でフォーカシングを行うリヤーフォーカス型のズームレンズを開示している。特許文献３は物体側から像側へ順に、正、負、正、負、正、負、正の屈折力のレンズ群より成る７群ズームレンズにおいて物体側の６つのレンズ群を移動させてズーミング行うズームレンズを開示している。更に小型軽量な第６レンズ群でフォーカスを行うリヤーフォーカス型のズームレンズを開示している。
【先行技術文献】
【特許文献】
【０００３】
【特許文献１】特開２００７−０９３９７６  号広報
【特許文献２】特開２００４−１９８５２９  号公報
【特許文献３】特開２００４−３１７８６７  号公報
【発明の概要】
【発明が解決しようとする課題】
【０００４】
デジタルカメラやビデオカメラ等に用いる撮像光学系において、種々な撮影画角において高解像度の画像を得るには、白色光の下において色にじみ具合や像の解像感を左右する色収差を十分補正したズームレンズであることが必要である。色収差の補正には蛍石等の大きな異常分散特性を有する材料より成るレンズを用いることが有効である。しかしながらこれらの材料は一般に屈折率が低い。また、蛍石のようなアッベ数の大きい低分散ガラスを使ったズームレンズでは、レンズ面の屈折力を大きく変化させないと色収差が変化しない。このため、高ズーム比のズームレンズでは色収差の補正と、球面収差、コマ収差、非点収差などの諸収差を全ズーム範囲でバランス良く補正することができるレンズ構成とすることが重要である。
【０００５】
特に高ズーム比化を図るために、５つ以上のレンズ群を有し、ズーミングのために３以上のレンズ群を 移動させる多群ズームレンズが良い。このとき最も像側に位置する最終レンズ群の屈折力や最終レンズ群内のレンズ構成及びレンズの材料等を適切に設定することが重要である。また、フォーカシングに伴う収差変動を少なくし、物体距離全般にわたり高い光学性能を得るには、フォーカスレンズ群の選定及びフォーカスレンズ群のレンズ構成等を適切に設定することが重要になってくる。例えば特許文献１は、倍率色収差のフォーカス変動が大きく、撮影距離至近において光学性能が悪化する傾向がある。これを補正しようとするとズーミングによる倍率色収差の変動が多くなってくる。このため全ズーム範囲及びフォーカス全域にわたり色収差を良好に補正するのが困難であった。さらに、第２レンズ群をフォーカスレンズ群として用いるため、球面収差並びに諸収差のフォーカス変動が大きく、至近距離物体での光学性能が悪化する傾向がある。
【０００６】
本発明は、全ズーム領域及び物体距離全般にわたって高い光学性能を有するズームレンズ及びそれを有する撮像装置の提供を目的とする。
【課題を解決するための手段】
【０００７】
本発明のズームレンズは、最も像側に正の屈折力の最終レンズ群、該最終レンズ群の物体側に隣接して配置された負の屈折力のフォーカスレンズ群を含み、全体として少なくとも５つのレンズ群を有し、ズーミングに際して３以上のレンズ群が移動するズームレンズであって、該最終レンズ群は正レンズＧＲＰと負レンズＧＲＮとを接合した接合レンズより構成され、該正レンズＧＲＰと負レンズＧＲＮの材料のアッベ数を各々νＲＰ、νＲＮとするとき、
１５＜｜νＲＰ−νＲＮ｜＜６０
なる条件式を満足することを特徴としている。
【発明の効果】
【０００８】
本発明によれば、全ズーム領域及び物体距離全般にわたって高い光学性能を有するズームレンズが得られる。
【図面の簡単な説明】
【０００９】
【図１】数値実施例１の広角端と望遠端のレンズ断面図
【図２】数値実施例１の広角端と望遠端における物体距離無限遠における収差図
【図３】数値実施例１の広角端と望遠端における物体距離至近（０．３８m）における収差図
【図４】数値実施例２の広角端と望遠端のレンズ断面図
【図５】数値実施例２の広角端と望遠端における物体距離無限遠における収差図
【図６】数値実施例２の広角端と望遠端における物体距離至近（１．４m）における収差図
【図７】数値実施例３の広角端と望遠端のレンズ断面図
【図８】数値実施例３広角端と望遠端における物体距離無限遠における収差図
【図９】数値実施例３広角端と望遠端における物体距離至近（１．５m）における収差図
【図１０】本発明の撮像装置の要部概略図
【発明を実施するための形態】
【００１０】
以下、本発明のズームレンズ及びそれを有する撮像装置について説明する。本発明のズームレンズは、最も像側に正レンズと負レンズとを接合した接合レンズを含む全体として正の屈折力の最終レンズ群を有する。更に最終レンズ群の物体側に隣接して正レンズと負レンズとを接合した接合レンズを含む全体として負の屈折力のフォーカスレンズ群を有する。そしてズームレンズ全体として少なくとも５つのレンズ群を有する。ズーミングに際しては各レンズ群間の空気間隔が変化するように３以上のレンズ群が移動する。
【００１１】
図１（Ａ）、（Ｂ）は本発明の実施例１のズームレンズの広角端（短焦点距離端）、望遠端（長焦点距離端）におけるレンズ断面図である。図２（Ａ）、（Ｂ）は本発明の実施例１の無限遠物体に合焦しているときの広角端、望遠端における縦収差図である。図３（Ａ）、（Ｂ）は本発明の実施例１の物体距離０．３８ｍの物体に合焦しているときの広角端、望遠端における縦収差図である。但し物体距離は後述する数値実施例をｍｍ単位で表わしたときの像面からの距離である。これは以下全て同じである。図４（Ａ）、（Ｂ）は本発明の実施例２のズームレンズの広角端、望遠端におけるレンズ断面図である。図５（Ａ）、（Ｂ）は本発明の実施例２の無限遠物体に合焦しているときの広角端、望遠端における縦収差図である。図６（Ａ）、（Ｂ）は本発明の実施例２の物体距離１．４ｍの物体に合焦しているときの広角端、望遠端における縦収差図である。図７（Ａ）、（Ｂ）は本発明の実施例３のズームレンズの広角端、望遠端におけるレンズ断面図である。図８（Ａ）、（Ｂ）は本発明の実施例３の無限遠物体に合焦しているときの広角端、望遠端における縦収差図である。図９（Ａ）、（Ｂ）は本発明の実施例３の物体距離１．５ｍの物体に合焦しているときの広角端、望遠端における縦収差図である。図１０は本発明のズームレンズを備える撮像装置の要部概略図である。
【００１２】
各実施例のズームレンズはデジタルスチルカメラや銀塩フィルムカメラ等の撮像装置に用いられる撮影レンズ系である。レンズ断面図において、左方が物体側（前方）で、右方が像側（後方）である。尚、各実施例のズームレンズをプロジェクター等の投射レンズとして用いるときは、左方がスクリーン、右方が被投射画像となる。レンズ断面図において、ｉは物体側からのレンズ群の順番を示し、Ｌｉは第ｉレンズ群である。ＳＰは開口絞り（Ｆナンバー決定絞り）である。ＳＰ２は副絞りである。ＩＰは像面であり、ビデオカメラやデジタルスチルカメラの撮像光学系として使用する際にはＣＣＤセンサやＣＭＯＳセンサなどの固体撮像素子（光電変換素子）の撮像面が置かれている。又、銀塩フィルム用のカメラの撮像光学系として使用する際には、フィルム面に相当する。矢印は広角端から望遠端へのズーミングにおける各レンズ群の移動軌跡を示している。収差図においてｄ（実線）、ｇ（２点鎖線）、Ｃ（１点鎖線）、Ｆ（鎖線）は各々ｄ、ｇ、Ｃ、Ｆ線である。Ｍ、Ｓはメリディオナル像面、サジタル像面である。倍率色収差はｇ、Ｃ、Ｆ線によって表わしている。Ｙは像高、ＦｎｏはＦナンバーである。尚、以下の各実施例において広角端と望遠端は変倍用レンズ群が機構上光軸上を移動可能な範囲の両端に位置したときのズーム位置をいう。
【００１３】
図１の実施例１のレンズ断面図において、Ｌ１は負の屈折力（光学的パワー＝焦点距離の逆数）の第１レンズ群、Ｌ２は正の屈折力の第２レンズ群、Ｌ３は負の屈折力の第３レンズ群、Ｌ４は正の屈折力の第４レンズ群である。またＬ５は負の屈折力の第５レンズ群、Ｌ６は正の屈折力の第６レンズ群である。広角端から望遠端へのズーミングに際して第１レンズ群Ｌ１は像側へ移動する。第２、第４、第５レンズ群Ｌ２、Ｌ４、Ｌ５は物体側へ移動する。第３レンズ群Ｌ３は物体側に凸状の軌跡を描いて移動し、変倍に伴う像面変動を補正している。開口絞りＳＰと副絞りＳＰ２は第３レンズ群Ｌ３と一体的に移動する。ズーミングのためには第６レンズ群Ｌ６は不動である。ここでズーミングのためには不動とは、ズーミングの目的のみで移動することはないが、例えばフォーカスのためには移動することがある場合をいう。第１〜第５レンズ群Ｌ１〜Ｌ５は広角端に比べ望遠端で第１レンズ群Ｌ１と第２レンズ群Ｌ２の間隔が小さく、第２レンズ群Ｌ２と第３レンズ群Ｌ３の間隔が大きく、第３レンズ群Ｌ３と第４レンズ群Ｌ４の間隔が小さくなるよう移動している。更に第４レンズ群Ｌ４と第５レンズ群Ｌ５の間隔が大きく、第５レンズ群Ｌ５と第６レンズ群Ｌ６の間隔が大きくなるように移動している。最終レンズ群Ｌ６の物体側に隣接して配置された第５レンズ群Ｌ５を光軸上移動させてフォーカスを行うリヤーフォーカス式を採用している。最終レンズ群である正の屈折力の第６レンズ群は正レンズと負レンズとを接合した接合レンズより成っている。
【００１４】
図４の実施例２のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群である。またＬ５は正の屈折力の第５レンズ群、Ｌ６は負の屈折力の第６レンズ群、Ｌ７は正の屈折力の第７レンズ群である。広角端から望遠端へのズーミングに際して、第１、第３、第６レンズ群Ｌ１、Ｌ３、Ｌ６は物体側へ移動する。第４レンズ群Ｌ４は像側へ移動する。開口絞りＳＰは第３レンズ群Ｌ３と一体的に移動する。第６レンズ群Ｌ６は変倍に伴う像点の変化を補正するように移動している。第２、第５、第７レンズ群Ｌ２、Ｌ５、Ｌ７はズーミングのためには不動である。第３、第４レンズ群Ｌ３、Ｌ４は広角端に比べて望遠端での第３レンズ群Ｌ３と第４レンズ群Ｌ４との間隔が大きくなるように移動している。最終レンズ群Ｌ７の物体側に隣接して配置された、正レンズと負レンズとを接合した接合レンズを含む第６レンズ群Ｌ６を光軸上移動させてフォーカスを行っている。最終レンズ群である正の屈折力の第７レンズ群Ｌ７は負レンズと正レンズとを接合した接合レンズより成っている。
【００１５】
図７の実施例３のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。広角端から望遠端へのズーミングに際して第１、第３、第４、第５レンズ群Ｌ１、Ｌ３、Ｌ４、Ｌ５は物体側へ移動する。第２レンズ群Ｌ２は像側へ凸状の軌跡で移動して変倍に伴う像面変動を補正している。又、各レンズ群は広角端に比べて望遠端で第１レンズ群Ｌ１と第２レンズ群Ｌ２の間隔が大きく、第２レンズ群Ｌ２と第３レンズ群Ｌ３の間隔が小さく、第３レンズ群Ｌ３と第４レンズ群Ｌ４の間隔が大きくなるように移動している。更に第４レンズ群Ｌ４と第５レンズ群Ｌ５の間隔が小さくなるように移動している。最終レンズ群Ｌ５の物体側に隣接して配置された正レンズと負レンズとを接合した接合レンズを含む第４レンズ群Ｌ４を光軸上移動させてフォーカスを行っている。最終レンズ群である正の屈折力の第５レンズ群Ｌ５は正レンズと負レンズとを接合した接合レンズより成っている。ズームレンズで発生する色収差の原因の解析には、収差係数の各レンズ群の分担値を解析することが有効である。ズームレンズ全体に対して、各レンズ群が色収差に与える影響、例えばズーミングやフォーカスによる色収差の変動も収差係数の分担値で解析することができる。
【００１６】
本発明者は最も像側に正の屈折力の最終レンズ群と、最終レンズ群に隣り合う位置に負の屈折力のフォーカスレンズ群を有した５群以上のレンズ群より成るズームレンズにおいて、各レンズ群の分担する色収差係数Ｌ，Ｔを分析した。ここでＬは軸上色収差係数、Ｔは倍率色収差係数である。参考のために特許文献２の数値実施例１における、色収差係数Ｌ、Ｔの各レンズ群の分担値を表２（Ａ）に示す。分析の結果、最も像側の最終レンズ群とフォーカスレンズ群の倍率色収差係数Ｔの分担値が、全系の倍率色収差のフォーカスによる変動に大きく影響している事が分かった。色収差のフォーカス変動を低減するために、フォーカスレンズ群自体で色消しすることは一般的な手法である。本発明者は更に、最終レンズ群の倍率色収差係数を低減させることが、倍率色収差のフォーカス変動の低減に大きく影響する事を見出した。そこで、最終レンズ群を正レンズと負レンズとを接合した接合レンズで構成し、最終レンズ群とフォーカスレンズ群の倍率色収差係数Ｔの分担をそれぞれ低減させる事で、倍率色収差のフォーカス変動を低減できることを見出した。表２（Ｂ）に、本発明の後述する数値実施例１において、各レンズ群の持つ色収差係数ＬとＴの分担値を示す。表２（Ａ）と比較すると、倍率色収差係数Ｔにおいて、第５レンズ群、第６レンズ群の倍率色収差係数の分担が減少し、その結果、全系の倍率色収差係数のフォーカス変動が低減していることが分かる。
【００１７】
各実施例において、最終レンズ群は正レンズＧＲＰと負レンズＧＲＮとを接合した接合レンズより構成されている。そして正レンズＧＲＰと負レンズＧＲＮの材料のアッベ数を各々νＲＰ、νＲＮとする。このとき、
１５＜｜νＲＰ−νＲＮ｜＜６０    ‥‥‥（１）
なる条件式を満足している。条件式（１）は、最終レンズ群の接合レンズを構成する正レンズＧＲＰと負レンズＧＲＮの材料のアッベ数の差に関し、フォーカスレンズ群と合わせて、色収差のフォーカス変動の補正を良好に行うための条件式である。条件式（１）の下限を超えるほど接合レンズを構成する２つのレンズの材料のアッベ数の差が小さくなると色消しの効果が不十分となる。また、上限を超えるほどアッベ数の差が大きくなると実在するガラスの配置上、正レンズＧＲＰの材料の屈折率が低くなり、全系のペッツバール和を低く保つことが困難になる。更に好ましくは条件式（１）の数値範囲を次の如く設定するのが良い。
【００１８】
２０＜｜νＲＰ−νＲＮ｜＜５０    ‥‥‥（１ａ）
本発明によれば、色収差を始めとする諸収差を全ズーム域にわたって良好に補正することができ、高い光学性能を有するズームレンズが得られる。又、本発明によれば、リヤーフォーカスタイプの多群ズームレンズで、無限遠物体から至近距離物体まで倍率色収差のフォーカス変動を低減することができる。以上で本発明の目的とするズームレンズは達成されるが、更にズームレンズ全体として色収差を良好に補正するためには、以下の条件式のうち少なくとも１つを満足するとよい。最終レンズ群とフォーカスレンズ群の焦点距離を各々ｆＲ、ｆfocusとする。フォーカスレンズ群は、正レンズＧＦＰと負レンズＧＦＮとを接合した接合レンズを有し、正レンズＧＦＰと負レンズＧＦＮの材料のアッベ数を各々νＦＰ、νＦＮとする。最終レンズ群の正レンズＧＲＰの材料の部分分散比をθＲＰとする。このとき、
０．２＜｜ｆfocus／ｆＲ｜＜２．０    ‥‥‥（２）
１０＜｜νＦＰ−νＦＮ｜            ‥‥‥（３）
−０．０１＜（θＲＰ）−（−０．０１６＊νＲＰ＋０．６４２）＜０．０５‥（４）
なる条件式のうち１以上を満足するのが良い。ここで波長４３６ｎｍ（ｇ線）、波長４８６ｎｍ（Ｆ線）、波長５８８ｎｍ（ｄ線）、波長６５６ｎｍ（Ｃ線）のそれぞれに対する材料の屈折率をそれぞれ、ｎｇ、ｎＦ、ｎｄ、ｎＣとするとき、アッベ数νｄと部分分散比θは次のとおりである。
【００１９】
νｄ＝（ｎｄ−１）／（ｎＦ−ｎＣ）
θ＝（ｎｇ−ｎＦ）／（ｎＦ−ｎＣ）
条件式（２）は、最終レンズ群とフォーカスレンズ群の屈折力の比を示したものであり、主に色収差のズーミング及びフォーカスによる変動を低減するための条件式である。条件式（２）の上限を超えるほどフォーカスレンズ群の屈折力が弱いと、フォーカスの際のフォーカスレンズ群の移動量が多くなり、色収差をはじめ諸収差のフォーカスによる変化を補正することが困難になる。また、条件式（２）の下限を超えるほどフォーカスレンズ群の屈折力が強いと、最終レンズ群との色収差の補正バランスが崩れ、ズーミングによる色収差の変化を補正することが困難となる。条件式（３）は、フォーカスレンズ群の色消しに関する条件式である。フォーカスによる色収差の変動を低減するには、フォーカスレンズ群内での色消しが十分になされている必要がある。条件式（３）の下限を超えるほどフォーカスレンズ群を構成する正レンズＧｆＰと負レンズＧｆＮの材料のアッベ数の差が小さいと、フォーカスによる色収差の変動を十分に補正するのが困難になる。条件式（４）は、最終レンズ群の正レンズＧＲＰに用いる材料の異常分散性とアッベ数と各波長における屈折率の関係を示したものである。倍率色収差の補正については、軸外光線が光軸から高い位置で通過する最終レンズ群の正レンズＧＲＰに異常分散ガラスを使うことで、更なる改善を容易にしている。本発明の各数値実施例では、正レンズＧＲＰに条件式（４）を満足する材料を用いて、望遠端において倍率色収差のフォーカス変動を良好に補正している。各実施例において、更に好ましくは条件式（２）〜（４）の数値範囲を次の如く設定するのが良い。
【００２０】
０．２１＜｜ｆfocus／ｆＲ｜＜１．８０    ‥‥‥（２ａ）
１２．０＜｜νＦＰ−νＦＮ｜＜２５．０    ‥‥‥（３ａ）
−０．００５＜（θＲＰ）−（−０．０１６＊νＲＰ＋０．６４２）＜０．０４０
‥‥‥（４ａ）
各実施例によれば以上のように、各構成要件を特定することによって、リヤーフォーカスタイプの多群ズームレンズにおいて、ズーミング及びフォーカシングの際の倍率色収差の変動を低減し、全ズーム範囲及び物体距離全域で良好な光学性能が得られる。
【００２１】
以下に、実施例１〜３に各々対応する数値実施例１〜３を示す。各数値実施例において、ｉは物体側からの面の順番を示し、ｒｉはレンズ面の曲率半径である。ｄｉは第ｉ面と第ｉ＋１面との間のレンズ肉厚および空気間隔である。ｎｄｉ、νｄｉはそれぞれｄ線に対する屈折率、アッベ数である。またＡ４、Ａ６、Ａ８、Ａ１０、Ａ１２は非球面係数である。非球面形状は光軸からの高さＨの位置での光軸方向の変位を面頂点を基準にしてｘとするとき
【００２２】
【数１】
2011081062.tif 000003
【００２３】
で表わされる。但しＲは曲率半径、Ｋは円錐定数である。また、例えば「Ｅ−Ｚ」の表示は「１０−Ｚ」を意味する。前述の各条件式と数値実施例における諸数値との関係を表１に示す。
【００２４】
［数値実施例１］
単位 mm                            
面データ                           
面番号       r        d      nd         νd       有効径
1*       165.291    2.50   1.77250    49.6       57.87
2         33.766   12.13                         47.40
3       -125.556    2.30   1.77250    49.6       47.27
4         46.987    0.15                         44.98
5         47.542    7.00   1.80518    25.4       45.02
6        376.338  (可変)                         44.56
7       1090.096    1.90   1.80518    25.4       34.60
8         40.660    6.25   1.77250    49.6       35.53
9       -107.558    0.15                         35.79
10         79.306    3.85   1.83481    42.7       37.46
11        357.070    0.15                         37.46
12         47.571    5.00   1.69680    55.5       37.79
13        699.103  (可変)                         37.39
14          ∞       2.20                         27.44
15       -112.573    1.30   1.88300    40.8       26.78
16         51.208    2.54                         26.29
17        -86.242    1.30   1.72000    42.0       26.25
18         30.468    4.95   1.80518    25.4       27.72
19        -75.202    0.70                         27.78
20(絞り)    ∞     (可変)                         27.89
21        176.513    1.30   1.84666    23.9       28.00
22         27.809    6.45   1.49700    81.5       27.80
23        -63.922    0.15                         28.07
24         37.247    4.55   1.65160    58.5       28.58
25       -145.983  (可変)                         28.32
26        131.007    5.00   1.84666    23.9       24.12
27        -25.730    1.20   1.83400    37.2       24.01
28         27.214  (可変)                         23.46
29         91.878    9.00   1.56907    71.3       33.68
30        -33.064    2.58   1.80518    25.4       34.48
31*       -58.203  (可変)                         36.31
像面        ∞                     
非球面 データ                      
第1面                              
K =    0.0000000E+00 A 4=   1.5043800E-06 A 6=   9.5171900E-10
A 8=   -2.4758500E-12       A10    2.4492100E-15 A12    -8.8851100E-19
第31面                             
K =    0.0000000E+00 A 4=   -7.1699300E-07       A 6=   -1.1157900E-08
A 8=   6.4683800E-11 A10    -1.8928100E-13       A12    2.0773300E-16
各種データ    
ズーム比      2.73        
広角     望遠
焦点距離      24.74    67.50  
Fナンバー      2.92     2.91  
画角          41.17    17.77  
像高          21.64    21.64  
レンズ全長   206.42     177.53  
BF            38.43    38.43  
d 6           55.77     3.56  
d13            2.90    21.30  
d20           18.68     1.43  
d25            1.19     13.66  
d28            4.84    14.55  
d31           38.43     38.43  
【００２５】
［数値実施例２］
単位 mm                                          
面データ                                         
面番号       r        d      nd         νd       有効径             
1         86.245    3.77   1.56384    60.7       51.88             
2        213.447    0.15                         51.46         
3         73.512    2.20   1.74950    35.3       50.39             
4         42.912    0.05   1.52421    51.4       48.05             
5(回折)   42.912    0.10   1.52421    51.4       48.04        
6         42.912   10.44   1.51633    64.1       48.01             
7       3764.994  (可変)                         47.05             
8       1628.138    1.10   1.85026    32.3       18.77           
9         43.511    2.02                         18.27           
10        -49.728    0.90   1.80400    46.6       18.25           
11         30.101    3.19   1.84666    23.9       18.61             
12       -496.462  (可変)                         18.77           
13         30.650    1.20   1.80518    25.4       19.19             
14         19.763    5.97   1.58313    59.4       18.75             
15*       -67.531    1.00                         18.47         
16(絞り)    ∞     (可変)                         17.96             
17        -23.174    1.90   1.58913    61.1       17.37           
18         28.242    2.56   1.80518    25.4       19.38             
19        130.888  (可変)                         19.66           
20       -268.640    3.83   1.58313    59.4       20.58           
21        -26.294    0.15                         20.99         
22         80.742    5.16   1.48749    70.2       21.30             
23        -22.509    1.00   1.84666    23.9       21.27           
24        -59.948    0.15                         21.78         
25         36.621    3.64   1.56384    60.7       21.91             
26       -595.535  (可変)                         21.54           
27       -535.424    1.10   1.83481    42.7       21.81           
28         30.188    1.43                         21.30           
29         82.263    4.38   1.80518    25.4       21.37             
30        -25.995    1.10   1.83481    42.7       21.47           
31         44.812  (可変)                         21.88           
32         44.475    2.00   1.61340    44.3       34.58             
33         39.063    3.93   1.49700    81.5       34.65             
34        255.394  (可変)                         34.70           
像面        ∞                                   
非球面データ                              
第5面(回折面)                             
A 2=-5.25072e-005  A 4=-3.36273e-009  A 6=-7.92126e-012         
第15面                                    
K = 0.00000e+000  A 4= 1.51296e-006  A 6=-1.72749e-009  A 8=-1.67373e-011  
各種データ                                
ズーム比      4.15                                    
広角    望遠                            
焦点距離      72.21    299.52                       
Fナンバー      4.65     5.85                     
画角          16.68     4.13                 
像高          21.64    21.64                   
レンズ全長   142.64    201.84                    
BF            37.77    37.77                   
d 7            2.80     62.00                     
d12            8.04     1.28                 
d16            3.62    17.47                   
d19            8.71     1.62                 
d26           14.34    -0.78                   
d31            2.94    18.06                   
d34           37.77    37.77                   
【００２６】
［数値実施例３］
単位 mm                                   
面データ                                  
面番号       r        d      nd         νd       有効径      
1         85.885    4.70   1.62299    58.2       44.13      
2      -1165.796    0.15                         43.47      
3         71.088    2.60   1.80100    35.0       41.07      
4         41.838    5.00   1.49700    81.5       38.28      
5        112.936  (可変)                         37.15    
6        -87.907    1.40   1.72916    54.7       20.17    
7         23.340    3.35   1.80518    25.4       18.48      
8         58.756    2.00                         17.54    
9        -51.620    1.10   1.80400    46.6       17.18    
10       -327.041  (可変)                         17.15    
11        518.897    2.00   1.66672    48.3       19.83    
12        -60.251    0.15                         19.97  
13         27.672    3.30   1.60311    60.6       19.96      
14       -127.036    1.58                         19.66  
15(絞り)    ∞       0.59                         18.53      
16         28.414    2.50   1.51742    52.4       17.40      
17         45.865    0.73                         16.28    
18       -102.062    4.00   1.84666    23.8       16.53    
19         28.624  (可変)                         14.95    
20        -83.115    2.00   1.84666    23.8       13.93    
21        -17.617    1.20   1.83481    42.7       13.95    
22         95.940  (可変)                         14.02    
23         57.898    5.00   1.63854    55.4       16.75      
24        -14.202    1.20   1.85026    32.3       17.14    
25        -26.598  (可変)                         18.10    
像面        ∞                            
各種データ                         
ズーム比      3.65                             
広角     望遠                    
焦点距離      55.60    203.11                
Fナンバー      4.16     5.88              
画角          13.80     3.85          
像高          13.66    13.66            
レンズ全長   162.05     202.41            
BF            58.79    82.03            
d 5           11.02    52.13            
d10           34.39     2.03          
d19           12.19    21.32            
d22            1.12     0.35          
d25           58.79    82.03            
【００２７】
【表１】
2011081062.tif 000004
【００２８】
【表２】
2011081062.tif 000005
【００２９】
次に実施例１〜３に示したズームレンズを有する撮像装置を説明する。図１０は一眼レフカメラの要部概略図である。図１０において１０は実施例１〜３のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成位置に配置された焦点板４を有する。更に焦点板４に形成された逆像を正立像に変換するペンタダハプリズム５、その正立像を観察するための接眼レンズ６等によって構成されている。７は感光面であり、像を受光するＣＣＤセンサやＣＭＯＳセンサ等の固体撮像素子（光電変換素子）や銀塩フィルムが配置される。撮影時には、クイックリターンミラー３が光路から退避して、感光面７上に撮影レンズ１０によって像が形成される。実施例１〜３にて説明した利益は本実施例に開示したような撮像装置において効果的に享受される。
【符号の説明】
【００３０】
Ｌ１は第１レンズ群、Ｌ２は第２レンズ群、Ｌ３は第３レンズ群、Ｌ４は第４レンズ群、Ｌ５は第５レンズ群、Ｌ６は第６レンズ群、Ｌ７は第７レンズ群、ＳＰは絞り、ＳＰ２は副絞り、ＩＰは像面、Ｙは像高、ｄはｄ線、ｇはｇ線、ＣはＣ線、ＦはＦ線、Ｍはメリディオナル像面、Ｓはサジタル像面
【図５】
2011081062.tif 000006
【図１０】
2011081062.tif 000007
【図１】
2011081062.tif 000008
【図２】
2011081062.tif 000009
【図３】
2011081062.tif 000010
【図４】
2011081062.tif 000011
【図６】
2011081062.tif 000012
【図７】
2011081062.tif 000013
【図８】
2011081062.tif 000014
【図９】
2011081062.tif 000015